(57)【要約】【課題】  ハンガーアームがその基端部を中心に揺動するばかりでなく、その基端部ごと水平移動することを可能とし、狭い場所でも効率よくふきん等を掛けることができるようにする。【解決手段】  一方向に延在するハンガーアーム６と、このハンガーアーム６の基端部が揺動可能に保持されるアームホルダ８と、このアームホルダ８を被装着部である天板３a部に装着するための装着台５とが備えられたハンガーに関する。ハンガーホルダ８は、装着台５に移動可能に保持されており、ハンガーアーム６は基端部を中心に揺動するばかりでなく、平行にも移動し得る。【選択図】      図６
2014008068.tif 000002
【特許請求の範囲】
【請求項１】
被乾燥物を掛けることのできるハンガーアームと、当該ハンガーアームの基端部を水平方向に揺動自在に保持するアームホルダと、前記アームホルダを保持する装着台と、前記装着台を被装着面に装着するための係止具とが具備されるハンガーであって、
前記アームホルダは、前記装着台に水平方向に移動可能に保持されていることを特徴とするハンガー。
【請求項２】
前記装着台は一方向に延在し、前記装着台もしくはアームホルダに、前記装着台にその延在方向を回転軸線方向とする回転力が加わった場合に前記装着台の回転を阻止するための固定具が装着されている請求項１に記載のハンガー。
【請求項３】
装着台が水平下面である被装着部に装着された場合、前記固定具には、前記ハンガーアームの延在方向と反対方向に延出する延出部が設けられ、その延出端部が前記被装着部に対峙する方向に湾曲もしくは折曲形成されており、ハンガーアームの自由端部がハンガーアームの自重によって降下しようとしても、それにつれて前記固定具の延出端部が上昇して前記被装着部に当接し、装着台は回転することが阻止されハンガーアームの降下を阻止するように構成されている請求項２に記載のハンガー。
【請求項４】
装着台が鉛直面である被装着部に装着された場合、前記固定具には、下方に延出する延出部が設けられ、その延出端部が前記被装着部に対峙する方向に湾曲もしくは折曲形成されており、ハンガーアームの自由端部がハンガーアームの自重によって降下しようとしても、それにつれて前記固定具の延出端部が水平方向に移動して被装着部に当接し、装着台は回転することが阻止されハンガーアームの降下を阻止するように構成されている請求項２に記載のハンガー。
【請求項５】
前記ハンガーアームはその延在方向に沿って水平方向に湾曲もしくは折曲形成されている請求項１〜４のいずれか１項に記載のハンガー。
【請求項６】
前記アームホルダは、前記装着台の延在方向に沿って摺動可能に保持されている請求項１〜５のいずれか１項に記載のハンガー。
【請求項７】
請求項１に記載のハンガーを用いて行う被乾燥物の乾燥方法であって、
前記被装着部である水平下面もしくは鉛直面に前記ハンガーの装着台を装着するステップと、
前記ハンガーアームを第１の位置から第２の位置に搖動させるステップと、
前記第２の位置にある前記ハンガーアームに前記被乾燥物を掛けるステップと、
前記ハンガーアームを被乾燥物と共に前記第１の位置に復動させるステップと、
を含むことを特徴とする被乾燥物の乾燥方法。
【請求項８】
第１の位置が前方が開口する収納部内の位置であって、第２の位置は前記収納部の開口の外部の位置である請求項７記載の被乾燥物の乾燥方法。
【発明の詳細な説明】
【技術分野】
【０００１】
本発明は、例えば、濡れたふきんやタオルなどの被乾燥物を乾燥させる際に掛けるハンガーであって、特にキッチン等の限られた空間に装着するのに好適なハンガーに関するものである。
【背景技術】
【０００２】
従来、複数本のハンガーアームが、その基部で揺動可能に保持されたものは公知である（特許文献１、特許文献２参照）。
【先行技術文献】
【特許文献】
【０００３】
【特許文献１】実開平４−１０３８４７号公報（図１〜３、図６）
【特許文献２】特開２００７−１５１８００（図１）
【発明の概要】
【発明が解決しようとする課題】
【０００４】
上記従来のハンガーでは、複数本のハンガーアームがその基部で揺動可能に保持されているために、一般に、複数本のハンガーアームをその基部を中心（要）として扇状に開き、濡れたふきんやタオルを掛けていた。
【０００５】
上述のように、複数本のハンガーアームをその基部を中心として扇状に開き、濡れたふきんやタオルを掛ける場合、ハンガーをキッチンの上方などの広い空間に装着して使用する際にはあまり不都合はない。
【０００６】
しかしながら、例えばキッチンのワークトップとカウンターとの間の比較的狭い収納部にハンガーを装着すると、ふきんなどをハンガーアームに掛ける作業が煩雑になると共に、スペース効率が悪くなり、複数枚のふきんを自由に掛けることは難しかった。
特に、複数本のハンガーアーム間の角度を相互に変えることは可能であったが、アーム全体の間隔を変更することはできなかったので、収納スペースを効率よく使用することができなかった。
【０００７】
また、ハンガーをキッチン等の比較的限られた収納部内の上面（被装着部）に装着する場合には、その装着作業は困難になるばかりでなく、ハンガーアームの自重や濡れたふきんの重みで当該ハンガーアームの自由端部が極端に下がったり、そのためにハンガー自体が落下するおそれがあった。
【０００８】
本発明は、上記のような従来の問題点に鑑み、ハンガーアームの基部の間隔を変更することによって、ハンガーの活用態様の自由度を確保し、ふきんなどを効率よく掛けることができると共に、ハンガーアームの狭い被装着部への装着作業を容易にすることを第１の目的とする。
また、本発明は、ハンガーアームの自重で当該ハンガーアームの自由端部が大きく下がったり、落下することを防止し得るハンガーを提供することを第２の目的とする。
【課題を解決するための手段】
【０００９】
（１）本発明は、被乾燥物を掛けることのできるハンガーアームと、当該ハンガーアー
ムの基端部を水平方向に揺動自在に保持するアームホルダと、前記アームホルダを保持する装着台と、前記装着台を被装着面に装着するための係止具とが具備されるハンガーであって、前記アームホルダは、前記装着台に水平方向に移動可能に保持されていることを特徴とするハンガーである。
【００１０】
本発明によれば、鉛直壁面や下方が開放されている水平壁面などの被保持部に、装着台を介してアームホルダが装着され、当該アームホルダは前記装着台に移動可能に保持されているので、ハンガーアームの位置を、基端部を中心として揺動させることが可能になるばかりでなく、平行移動をさせることも可能となる。
特に、ハンガーアームが水平方向に複数本備えられている場合には、各ハンガーアームの間隔を掛けるものに合わせて自由に変更することができる。
即ち掛けるものに合わせて扇状ばかりでなく、矩形状にレイアウトを変更することが可能になる。
【００１１】
（２）本発明において、前記装着台は一方向に延在し、前記装着台もしくはアームホルダに、前記装着台にその延在方向を回転軸線方向とする回転力が加わった場合に前記装着台の回転を阻止するための固定具が装着されていることが好ましい。
この場合、ハンガーアームは、その自重や掛けられた被乾燥物の重みによってその自由端部が降下し、結果としてそのハンガーアームの基端部に位置する装着台は、その延在方向を回転軸線方向として、前記ハンガーアームが降下する方向に回転するおそれがあるが、前記固定具によって前記回転を阻止されるので、ハンガーアームの自由端部が降下することはない。
【００１２】
（３）本発明において、装着台が水平下面である被装着部に装着された場合、前記固定
具には、前記ハンガーアームの延在方向と反対方向に延出する延出部が設けられ、その延出端部が前記被装着部に対峙する方向に湾曲もしくは折曲形成されており、ハンガーアームの自由端部がハンガーアームの自重によって降下しようとしても、それにつれて前記固定具の延出端部が上昇して前記被装着部に当接し、装着台は回転することが阻止されハンガーアームの降下を阻止するように構成されていることが好ましい。
前述のように、固定具は前記被装着部に対峙する方向に湾曲もしくは折曲形成され、前記ハンガーアームが降下しようとしても、その反作用によって前記固定具の延出端部が水平下面である被装着部に下方から当接するで、前記装着台は回転を阻止されハンガーアームの自由端部が降下することはない。
【００１３】
（４）本発明において、装着台が鉛直面である被装着部に装着された場合、前記固定具には、鉛直方向下方に延出する延出部が設けられ、その延出端部が前記被装着部に対峙する方向に湾曲もしくは折曲形成されており、ハンガーアームの自由端部がハンガーアームの自重によって降下しようとしても、それにつれて前記固定具の延出端部が水平方向に移動して被装着部に当接し、装着台は回転することが阻止されハンガーアームの降下を阻止するように構成されていることが好ましい。
前述のように、固定具は鉛直面に対峙する方向に湾曲もしくは折曲形成されているので、前記ハンガーアームが降下しようとしても、その反作用によって前記固定具の延出端部が鉛直面である被装着部に対して水平方向から当接し、前記装着台は回転を阻止されハンガーアームの自由端部が降下することはない。
【００１４】
（５）本発明において、前記ハンガーアームはその延在方向に沿って水平方向に湾曲もしくは折曲形成されていることが好ましい。
ハンガーアームが、その延在方向に沿って水平方向に湾曲もしくは折曲形成されていると、ふきんを掛けた場合、掛けられたふきんの内面同士が接触し難く、空気の流通がよくなって乾燥時間が短縮される。
【００１５】
（６）本発明において、  前記アームホルダは、前記装着台の延在方向に沿って摺動可能に保持されていることが好ましい。
この場合、アームホルダを装着台の延在方向に沿って摺動させると、無段階的にハンガーアームを水平方向に移動させることができる。
【００１６】
（７）本発明に係るハンガーを用いて行う被乾燥物の乾燥方法は、  前記被装着部である水平下面もしくは鉛直面に前記ハンガーの装着台を装着するステップと、  前記ハンガーアームを第１の位置から第２の位置に搖動させるステップと、  前記第２の位置にある前記ハンガーアームに前記被乾燥物を掛けるステップと、  前記ハンガーアームを被乾燥物と共に前記第１の位置に復動させるステップと、を含むことを特徴とする。
なお、本発明における各ステップの順番は前述の通りでなく、例えば、先ず前記ハンガーアームを第１の位置から第２の位置に搖動させてから、前記被装着部である水平下面もしくは鉛直面に前記ハンガーの装着台を装着することも可能である。
【００１７】
（８）  本発明において、第１の位置が前方が開口する収納部内の位置であって、第２の位置は前記収納部の開口の外部に露出させた位置であることが好ましい。
【００１８】
前記ハンガーアームを前記収納部の開口側に揺動させて外部に露出させた状態で、前記ハンガーアームに被乾燥物を掛けると当該被乾燥物を容易に掛けることができる。また、被乾燥物を掛けたハンガーアームを前記収納部の奥側に揺動させると前記被乾燥物を前記収納部の内部に容易に収納することができる。
【発明の効果】
【００１９】
前述のように、本発明によれば、アームホルダは前記装着台に移動可能に保持されているので、ハンガーアームをその基端部を支点として揺動させるばかりでなく、全体的に平行移動をさせることも可能となり、ハンガーの装着位置の自由度が向上すると共にふきんなどを効率よく掛けることが可能となる。
【００２０】
また、前記ハンガーアームを前記収納部の開口側に揺動させて外部に露出させた状態で前記ハンガーアームに被乾燥物を掛けると当該被乾燥物を容易に掛けることができ、被乾燥物を掛けたハンガーアームを前記収納部の奥側に揺動させると前記被乾燥物を前記収納部の内部に容易に収納することができる。
【図面の簡単な説明】
【００２１】
【図１】本発明の実施形態に係るハンガーが装着されているキッチンの収納部の正面図である。
【図２】図１に対応する右側面図である。
【図３】図１に対応し収納部の天板の図示を省略した平面図である。
【図４】本発明の実施形態に係るハンガーを下方から見た底面図である。
【図５】図４に対応する側面図である。
【図６】本発明の実施形態に係るハンガーのアームホルダ部分の縦断面図である。
【図７】本発明の実施形態に係るハンガーの下方から見た斜視図である。
【図８】本発明の他の実施形態に係る本発明の実施形態に係るハンガーのアームホルダ部分の縦断面図である。
【発明を実施するための形態】
【００２２】
以下、図面を参照しつつ、本発明の実施形態を説明する。なお、本実施形態では、本発明のハンガーを、台所などに設置されるキッチンのワークトップの上部にある収納部に装着した状態を説明する。
【００２３】
図１〜図３は、本発明の実施形態に係るハンガーが装着されているキッチンの収納部２を示し、キッチンのワークトップ１の上方の奥側には横長で断面コ字状の収納部２が設けられていて水平下面である天板３aと鉛直面である鉛直側壁３bが備えられている。
前記収納部２には一般的に調味料などの小物が収納されるものであるが、本実施の形態ではここにハンガー４を装着せんとするものである。
本発明の実施形態では、被装着部としての前記収納部２の天板３aの下方から、ハンガー４が装着されている。
【００２４】
次に、さらに図４〜図７を参照し、本発明の実施形態に係るハンガー４の詳細を説明する。
一方向に延在する２本の金属製のハンガーアーム６は、その基端部がアームホルダ８にそれぞれ保持されており、その自由端部には人に対する安全性を考慮して球体９が固着されている。
【００２５】
前記ハンガーアーム６はその延在方向に沿って水平方向に蛇行するように波形状に湾曲形成されているが、このようにハンガーアーム６が波形状に湾曲形成されていると、図４に示すように、例えば濡れたふきん１０aを掛けた場合に、当該ふきん１０aの内側面同士が寸法Ｌだけ離間し、内部への空気の流通が頻繁となり早期に乾燥されることになる。
【００２６】
なお、ハンガーアーム６は必ずしも波形状に湾曲形成されず、のこぎり刃状に折曲形成されていても、ふきん１０aの内側面同士が離間し、内部に空気の流通が頻繁となって早期に乾燥されるという作用は奏する。
【００２７】
前記ハンガーアーム６の基端部は、図６に示すように、円錐台状で断面凸状の樹脂製のアームホルダ８の下部近傍に水平方向に開設された挿入穴１１に挿入されて保持され、前記ハンガーアーム６の基端部近傍に開設された貫通孔６aに、上方から取付ねじ１２が挿入されて、前記挿入穴１１の内部に固定される。
前記アームホルダ８の上端部近傍の外径は、取付ねじ１２のねじ頭７の直径よりも小径に形成されている。
【００２８】
前記アームホルダ８の上部には樹脂製の固定具１３aが嵌着されており、当該固定具１３aには、前記アームホルダ８の小径部が回転可能に挿通される小径孔１４と、前記取付ねじ１２のねじ頭７が回転可能に保持される大径の段部１５が開設されている。
【００２９】
即ち、ねじ頭７の下面と固定具１３aの段部１５とが相互に回転摺動し、同時にアームホルダ８の肩部８aと固定具１３aの下面も相互に回転摺動し得るように構成されている。
従って、ハンガーアーム６とアームホルダ８と取付ねじ１２が一体となって、固定具１３aの小径孔１４および大径の段部１５の内部を回転することが可能となり、ハンガーアーム６はその基端部を支点として揺動可能となる。
前記固定具１３aには、延出部１６が一体的に形成されその端部が前記天板３aに対峙する方向に湾曲形成されている。また、前記段部１５の外側には、後述の装着台５の摺動溝１８の内部を摺動する鍔部１７が左右方向に突出形成されている。
【００３０】
なお、前記取付ねじ１２のねじ頭７の直径は、アームホルダ８の小径部より大径で、前記固定具１３aの段部１５の内径より若干小径に設定してあり、当該取付ねじ１２にてハンガーアーム６を締め付けた状態では、ねじ頭７の下面が固定具１３aの前記段部１５に当接し、アームホルダ８は当該固定具１３aから脱落することはない。
【００３１】
前記アームホルダ８および固定具１３aを天板３aに装着するための装着台５は、アルミ合金を一方向に押出成形したもので、下面に断面が薄いＣ字型に類似する形状の摺動溝１８がその延在方向に沿って形成されている。
当該摺動溝１８は、その幅広の溝部は前記固定具１３aの鍔部１７が摺動し得る寸法を有し、幅狭の開口部は前記固定具１３aの幅狭部が摺動し得る寸法を有しており、ハンガーアーム６、アームホルダ８そして固定具１３aが一体となって前記摺動溝１８に沿って摺動し得るように構成されている。
従って、ハンガーアーム６とアームホルダ８と固定具１３aが、一体的に前記装着台５の摺動溝に沿って水平方向に移動可能となる。
【００３２】
前記装着台５の上面の凹所２２には、係止具としての、ヨーク１９が備えられた磁石２０が接着され、当該磁石２０が接着されていない場所には、吸盤２１の基部が装着されている（図３、図５参照）。
また前記磁石２０およびヨーク１９には、保護テープ２３が貼着されている。
【００３３】
前記天板３aがホーローなどの磁性材料にて形成されているときには、磁石２０が有効に働き、磁石２０と吸盤２１の両方の吸着力で強力に係止される。
一方、天板３aが木材などの非磁性材料にて形成されているときには、吸盤のみにて係止されることになる。
なお、図６、図８では前記吸盤２１の図示は省略してある。
【００３４】
本発明の実施形態は前述のように構成されているので、ハンガー４をワークトップ１の上方の収納部２の天板３aに装着するには、ハンガー４を把持して天板３aの下方から所望の位置に持ち上げれば、ハンガーは天板３aの下面に固定される。
この際、前記ハンガーアーム６が自重によって前記アームホルダ８を支点として下方に回転（図６においてハンガーアーム６が時計方向に回転）しようとしても、当該アームホルダ８や固定具１３aも一体的に時計方向に回転しようとするので、固定具１３aの延出部１６の端部が天板３aの下面に当接して回転が阻止されるので、ハンガーアーム６は水平状態を保持した姿勢で安定的に天板３aに装着されることになる。
このようにハンガー４は固定具１３aによって強固に天板３aに固定されるので、水分を含んだふきん１０aやタオル１０bなどの少々重いものを掛けても、天板３aから容易に脱落することはない。
【００３５】
本発明の実施形態の使用方法（ふきん１０aなどの被乾燥物の収納方法）としては、先ず前記収納部２の天板３aもしくは鉛直側壁３bに、前記ハンガー４の装着台５を係止具である磁石２０と吸盤２１で堅固に装着する。次いで、前記ハンガーアーム６を前記収納部２の開口側に揺動させて、前記ハンガーアーム６を前記収納部２の手前側、即ちワークトップ１の上方に露出させる。そして露出させた前記ハンガーアーム６にふきん１０aなどの被乾燥物を掛ける。その後、前記ハンガーアーム６を前記収納部２の奥側に揺動させて、前記ハンガーアーム６とともに前記ふきん１０aを前記収納部２の内部に収納すれば、前記ふきん１０aを前記収納部２の内部に容易かつ迅速に収納することができる。
ここで、２本のハンガーアーム６を略平行に収納部２に収納した状態で小型のふきん１０aなどを掛けると（図１、図４参照）、ワークトップ１の上方に邪魔なハンガーアーム６が突出せず、炊事などの作業性がよくなる。
【００３６】
一方、少し大型のタオル１０bなどを収納部２内のハンガーアーム６に掛けると、下端が収納部２の底面に当たって折れ曲がり、充分乾燥できない場合があるが、そのような場合は図２、図３に示すように、少なくとも１本のハンガーアーム６をキッチンのワークトップ１の上方に持ちきたせば、収納部２内よりも上下の寸法が取れるので充分乾燥できることになる。
この場合、炊事などの作業終了後に、大型のタオル１０b等の乾燥をするのに好適である。
【００３７】
また、アームホルダ８や固定具１３aを装着台５にそって水平方向に移動させて２本のアームホルダ８の間隔を広げると、比較的分厚いタオル類なども掛けることができる。
なお、ハンガーアーム６が１本の場合であっても、奥側に移動させたり手前に移動させることができ、ハンガー４の使い方の自由度が向上することになる。
【００３８】
次に、発明を実施するための他の形態について説明する。当該他の実施の形態と前述の実施の形態とは固定具１３の構造の一部が異なるだけなので、図８に従い、前記図６と異なる部分について説明し同一部分には同一の符号を付し、詳細な説明は省略する。
【００３９】
この実施の形態では、装着台５を収納部２の鉛直側壁３bに装着するもので、延出部１６は固定具１３bから下方に延出すると共に水平方向に湾曲し、その端部は前記鉛直側壁３bに対峙している。
また固定具１３の左側には、保持腕２４が水平方向に突出するように設けられ、当該保持腕２４の突出端部には、前述の実施の形態と同様な、アームホルダ８が揺動可能に保持され、当該アームホルダ８にハンガーアーム６が取り付けねじ１２にて緊締されている。
【００４０】
〔本実施形態の効果〕
上記構成に係る本実施形態のでは、固定具１３a、１３bが設けられていることによって、ハンガーアーム６が自重によって前記アームホルダ８部分を支点として下方に回転しようとしても、固定具１３a、１３bの延出部１６の端部が天板３aの下面や鉛直側壁３bに当接して回転が阻止されるので、ハンガー４は安定的に天板３aや鉛直側壁３bに装着されることになる。
従って、水分を含んだふきん１０aやタオル１０bなど比較的重いものを掛けても、天板３aや鉛直側壁３bから容易に脱落することはない。
【００４１】
また、前記ハンガーアーム６はその延在方向に沿って水平方向に波形状に湾曲形成されているので、例えば濡れたふきん１０aを掛けた場合に、ふきん１０ｂの内側面同士が離間し内部に空気の流通が頻繁となって早期に乾燥されることになる。
【符号の説明】
【００４２】
１      ワークトップ
２      収納部
３a     天板
３b     鉛直側壁
４      ハンガー
５      装着台
６      ハンガーアーム
６a     貫通孔
７      ねじ頭
８      アームホルダ
８a     肩部
９      球体
１０a     ふきん
１０b     タオル
１１      挿入穴
１２      取付ねじ
１３a     固定具
１３b     固定具
１４      小径孔
１５      段部  
１６      延出部
１７      鍔部
１８      摺動溝
１９      ヨーク
２０      磁石
２１      吸盤
２２      凹所
２３      保護テープ
２４      保持腕
【図１】
2014008068.tif 000003
【図２】
2014008068.tif 000004
【図３】
2014008068.tif 000005
【図４】
2014008068.tif 000006
【図５】
2014008068.tif 000007
【図６】
2014008068.tif 000008
【図７】
2014008068.tif 000009
【図８】
2014008068.tif 000010